(57)【要約】  空気調和機の室内機は、室内空気を吸い込む吸込み口と、吸込み口から吸い込まれた空気を吹き出す吹出し口と、吹出し口に接続され電装品箱を収容する収容空間とが形成された筐体と、吹出し口及び収容空間を覆うように筐体に設けられ、吹出し口から吹き出す空気の方向を調整する上下風向板と、を備え、上下風向板は、吹出し口から吹き出される空気を案内する風案内面において、収容空間に対向する部分のうち筐体における後方の縁部に、吹出し口から吹き出された空気を遮る遮風部が設けられている。
2020240759.tif 000002
【特許請求の範囲】
【請求項１】
室内空気を吸い込む吸込み口と、前記吸込み口から吸い込まれた空気を吹き出す吹出し口と、前記吹出し口に接続され電装品箱を収容する収容空間とが形成された筐体と、
前記吹出し口及び前記収容空間を覆うように前記筐体に設けられ、前記吹出し口から吹き出す空気の方向を調整する上下風向板と、を備え、
前記上下風向板は、
前記吹出し口から吹き出される空気を案内する風案内面において、前記収容空間に対向する部分のうち前記筐体における後方の縁部に、前記吹出し口から吹き出された空気を遮る遮風部が設けられている
空気調和機の室内機。
【請求項２】
前記遮風部は、
前記上下風向板の後方の縁部に沿うと共に、上方に延びるように設けられている
請求項１記載の空気調和機の室内機。
【請求項３】
前記遮風部は、
前記吹出し口側に延びるように設けられている
請求項１又は請求項２に記載の空気調和機の室内機。
【請求項４】
前記遮風部の背面は、
前記筐体における後方且つ上方に延びるように形成されている
請求項１〜請求項３のいずれか１項に記載の空気調和機の室内機。
【請求項５】
前記遮風部の高さは、
前記吹出し口に向かい高くなる
請求項１〜請求項４のいずれか１項に記載の空気調和機の室内機。
【請求項６】
前記遮風部には、
熱移動を抑制する断熱材又は水分を吸収する吸水材が貼り付けられている
請求項１〜請求項５のいずれか１項に記載の空気調和機の室内機。
【発明の詳細な説明】
【技術分野】
【０００１】
本発明は、上下風向板を備える空気調和機の室内機に関する。
【背景技術】
【０００２】
従来、電装品箱を収容する収容空間が形成された空気調和機の室内機が知られている。このような室内機において、吹出し口は、室内機の一側部に寄せた位置に形成され、収容空間は、室内機の他側部に寄せた位置に形成されている。更に、収容空間は、筐体から窪むように形成されると共に、吹出し口に接続されることがある。即ち、収容空間は、吹出し口と一体化された外観を呈する。この際、上下風向板は、筐体下部の略全幅にわたって配置され、吹出し口及び収容空間を覆うように設けられる。一方、収容空間は、吹出し口に一体化されるように形成されない場合、上下風向板によって覆われない。即ち、上下風向板は、吹出し口のみを覆うため、筐体の幅方向の一側部に寄せられて配置される。したがって、室内機は、収容空間が吹出し口に一体化されることで、収容空間が吹出し口に一体化されない場合と比べて、意匠性が高い。一方で、上下風向板における収容空間に対向する箇所においては、吹き出される空気の勢いが弱く、空気調和機が冷房運転をしている際に、室内の暖気が流入しうる。したがって、上下風向板における収容空間に対向する部分に、結露が生じる虞があった。【０００３】
特許文献１には、吹出し口から吹き出される空気を案内する上下風向板の風案内面のうち、収容空間に対向する部分に、複数のリブが設けられた室内機が開示されている。それぞれのリブは、いずれも略直方体状をなしているが、それぞれの高さが異なり、風案内面における前後方向の略中央に、吹出し口に向かって段階的に高くなるように設けられている。また、リブの長手方向は、筐体の前後方向と平行となる。したがって、室内の暖気は、上下風向板の風案内面において、露点温度以下となる箇所に流入することが妨げられる。このようにして、特許文献１の室内機は、室内機の意匠性を維持しつつ、上下風向板に結露が生じることを抑制しようとするものである。
【先行技術文献】
【特許文献】
【０００４】
【特許文献１】特開２０１１−１３３１５８号公報
【発明の概要】
【発明が解決しようとする課題】
【０００５】
しかしながら、特許文献１に開示された室内機の上下風向板に形成されているリブは、風案内面における前後方向の略中央に、長手方向が筐体の前後方向と平行になるように設けられている。このため、空気調和機の運転時において、吹き出された空気は、リブ同士の間を通り抜けるように、風案内面に沿って流れる。即ち、吹き出された空気は、上下風向板の意匠面側を流れないため、意匠面側に滞留した室内の暖気を排出することが出来ない。したがって、上下風向板の風案内面を通る冷気と室内の暖気との温度差によって、上下風向板の意匠面で結露が生じる可能性がある。【０００６】
本発明は、上記のような課題を解決するためになされたもので、室内機の意匠性を維持しつつ、上下風向板の意匠面に結露が生じない空気調和機の室内機を提供するものである。
【課題を解決するための手段】
【０００７】
本発明に係る空気調和機の室内機は、室内空気を吸い込む吸込み口と、吸込み口から吸い込まれた空気を吹き出す吹出し口と、吹出し口に接続され電装品箱を収容する収容空間とが形成された筐体と、吹出し口及び収容空間を覆うように筐体に設けられ、吹出し口から吹き出す空気の方向を調整する上下風向板と、を備え、上下風向板は、吹出し口から吹き出される空気を案内する風案内面において、収容空間に対向する部分のうち筐体における後方の縁部に、吹出し口から吹き出された空気を遮る遮風部が設けられている。
【発明の効果】
【０００８】
本発明によれば、空気調和機が冷房運転をしている際に、吹出し口から吹き出された冷気の一部が遮風部に衝突する。この際に、遮風部に衝突した冷気は、上下風向板の意匠面側に流入し、上下風向板の意匠面に滞留した室内の暖気を押し出しながら、上下風向板の意匠面に沿って流れる。一方、遮風部に衝突しなかった冷気は、風案内面に沿って室内機から吹き出される。即ち、上下風向板の風案内面と意匠面とのいずれにも冷気が流れる。このため、上下風向板の風案内面と意匠面との間に温度差が発生しない。したがって、収容空間を吹出し口に一体化したことによって得られる室内機の意匠性の高さを維持しつつ、上下風向板の意匠面に結露が生じないようにすることが出来る。
【図面の簡単な説明】
【０００９】
【図１】実施の形態１に係る空気調和機１００を示す回路図である。
【図２】実施の形態１に係る室内機２を示す正面図である。
【図３】実施の形態１に係る室内機２を示す斜視図である。
【図４】実施の形態１に係る室内機２を示す断面図である。
【図５】実施の形態１に係る室内機２を示す斜視図である。
【図６】実施の形態１に係る室内機２を示す斜視図である。
【図７】実施の形態１に係る室内機２を示す正面図である。
【図８】実施の形態１に係る遮風部７２を示す正面図である。
【図９】実施の形態１に係る遮風部７２を示す斜視図である。
【図１０】実施の形態１に係る吹出し口４２を示す断面図である。
【図１１】比較例に係る吹出し口４２を示す断面図である。
【図１２】実施の形態１に係る遮風部７２を示す斜視図である。
【図１３】実施の形態１に係る遮風部７２を示す断面図である。
【図１４】実施の形態１に係る遮風部７２を示す斜視図である。
【図１５】実施の形態１に係る遮風部７２を示す断面図である。
【図１６】実施の形態１に係る遮風部７２を示す断面図である。
【発明を実施するための形態】
【００１０】
実施の形態１．
以下、実施の形態１に係る空気調和機１００の室内機２について、図面を参照しながら説明する。図１は、実施の形態１に係る空気調和機１００を示す回路図である。図１に示すように、空気調和機１００は、室外機１、室内機２及び冷媒配管３を有している。なお、図１では、１台の室内機２を例示しているが、室内機２の台数は、２台以上でもよい。
【００１１】
（室外機１、室内機２、冷媒配管３）
室外機１は、圧縮機１１、流路切替装置１２、室外熱交換器１３、室外送風機１４及び膨張部１５を有している。室内機２は、室内熱交換器２１、室内送風機２２、筐体２３、電装品箱２４、上下風向板２５及び上下風向板２５を有している。冷媒配管３は、流路切替装置１２、室外熱交換器１３、膨張部１５及び室内熱交換器２１を接続すると共に、内部に冷媒が流れることで冷媒回路４を構成するものである。
【００１２】
（圧縮機１１、流路切替装置１２、室外熱交換器１３、室外送風機１４、膨張部１５）
圧縮機１１は、低温且つ低圧の状態の冷媒を吸入し、吸入した冷媒を圧縮して高温且つ高圧の状態の冷媒にして吐出するものである。流路切替装置１２は、冷媒回路４において、冷媒の流通方向を切り替えるものであり、例えば四方弁である。室外熱交換器１３は、冷媒と室外空気との間で熱交換を行うものであり、例えばフィンアンドチューブ型熱交換器である。室外熱交換器１３は、冷房運転時には凝縮器として作用し、暖房運転時には蒸発器として作用する。室外送風機１４は、室外熱交換器１３に室外空気を送る機器である。膨張部１５は、冷媒を減圧して膨張させる減圧弁又は膨張弁である。
【００１３】
（室内熱交換器２１、室内送風機２２）
室内熱交換器２１は、室内空気と冷媒との間で熱交換を行うものである。室外熱交換器１３は、冷房運転時には蒸発器として作用し、暖房運転時には凝縮器として作用する。室内送風機２２は、室内熱交換器２１に室内空気を送る機器であり、例えば、クロスフローファンである。
【００１４】
（冷房運転）
ここで、空気調和機１００の動作について説明する。先ず、冷房運転について説明する。冷房運転において、圧縮機１１に吸入された冷媒は、圧縮機１１によって圧縮されて高温且つ高圧のガス状態で吐出される。圧縮機１１から吐出された高温且つ高圧のガス状態の冷媒は、流路切替装置１２を通過して、凝縮器として作用する室外熱交換器１３に流入する。室外熱交換器１３に流入した冷媒は、室外送風機１４によって送られる室外空気と熱交換されて凝縮し、液化する。液状態の冷媒は、膨張部１５に流入し、減圧及び膨張されて、低温且つ低圧の気液二相状態の冷媒となる。気液二相状態の冷媒は、蒸発器として作用する室内熱交換器２１に流入する。室内熱交換器２１に流入した冷媒は、室内送風機２２によって送られる室内空気と熱交換されて蒸発し、ガス化する。その際、室内空気が冷却されて室内における冷房が実施される。その後、蒸発した低温且つ低圧のガス状態の冷媒は、流路切替装置１２を通過して、圧縮機１１に吸入される。
【００１５】
（暖房運転）
次に、暖房運転について説明する。暖房運転において、圧縮機１１に吸入された冷媒は、圧縮機１１によって圧縮されて高温且つ高圧のガス状態で吐出される。圧縮機１１から吐出された高温且つ高圧のガス状態の冷媒は、流路切替装置１２を通過して、凝縮器として作用する室内熱交換器２１に流入する。室内熱交換器２１に流入した冷媒は、室内送風機２２によって送られる室内空気と熱交換されて凝縮し、液化する。その際、室内空気が温められて、室内における暖房が実施される。液状態の冷媒は、膨張部１５に流入し、減圧及び膨張されて、低温且つ低圧の気液二相状態の冷媒となる。気液二相状態の冷媒は、蒸発器として作用する室外熱交換器１３に流入する。室外熱交換器１３に流入した冷媒は、室外送風機１４によって送られる室外空気と熱交換されて蒸発し、ガス化する。その後、蒸発した低温且つ低圧のガス状態の冷媒は、流路切替装置１２を通過して、圧縮機１１に吸入される。
【００１６】
（筐体２３）
図２は、実施の形態１に係る室内機２を示す正面図である。図３は、実施の形態１に係る室内機２を示す斜視図である。図２及び図３に示すように、筐体２３は、室内機２の外殻を構成するものであり、例えば、樹脂製である。筐体２３は、ケーシング３１及び正面パネル３２を有する。
【００１７】
（ケーシング３１）
図４は、実施の形態１に係る室内機２を示す断面図であり、図２のＡ−Ａ断面である。図５は、実施の形態１に係る室内機２を示す斜視図である。そして、図６は、実施の形態１に係る室内機２を示す斜視図である。図４〜図６に示すように、ケーシング３１は、室内機２の各機器が収容されるように箱体をなすものであり、室内の壁に取りつけられる。ケーシング３１には、吸込み口４１、吹出し口４２、風路４３及び収容空間４４が形成されている。なお、ケーシング３１は、天井に埋め込まれることで、天井埋め込み型の室内機２として用いられてもよい。
【００１８】
（吸込み口４１、吹出し口４２）
吸込み口４１は、ケーシング３１の上部に形成された開口であり、室内空気を室内機２の内部に吸い込む。なお、吸込み口４１は、室内機２の内部に室内空気を吸い込むことが出来る形状であればよい。また、吸込み口４１は、ケーシング３１の上部に加えて、正面パネル３２に形成されていたり、正面パネル３２にのみ形成されていたりしてもよい。吹出し口４２は、ケーシング３１下部に形成された開口であり、室内機２の内部から室内に空気を吹き出す。吹出し口４２は、室内機２の幅方向を長辺とする略長方形をなしている。なお、吹出し口４２は、室内機２の内部から空気を吹き出すことが出来ればよく、略長方形の形状以外でもよい。
【００１９】
（風路４３、収容空間４４）
風路４３は、吸込み口４１から吹出し口４２までを接続する空間であり、室内機２が運転している際に、吸込み口４１から吸い込まれた空気が通る。風路４３には、室内熱交換器２１及び室内熱交換器２１を前面から上面にかけて取り囲むようにＶ字を逆さにした形状に配置された室内送風機２２が設けられている。なお、室内送風機２２は、Ｖ字を逆さにした形状に配置されなくともよい。収容空間４４は、ケーシング３１下部に形成された窪みであり、電装品箱２４が収容される。また、収容空間４４は、吹出し口４２に接続され、吹出し口４２と一体化された外観を呈する。
【００２０】
（正面パネル３２、電装品箱２４）
正面パネル３２は、ケーシング３１に接続され、室内機２における外殻の正面を構成するものである。電装品箱２４は、筐体２３内部に格納され、モーター（図示せず）及び電子制御装置（図示せず）等を収めるものである。
【００２１】
（上下風向板２５）
上下風向板２５は、板状の部材であり、ケーシング３１の下部に設けられる。上下風向板２５は、上風向板５１及び下風向板５２の２枚からなり、空気調和機１００が運転を停止している際に、上風向板５１が吹出し口４２及び収容空間４４の上部を覆うと共に、下風向板５２が吹出し口４２及び収容空間４４の下部を覆う。なお、上下風向板２５の枚数は、１枚又は３枚以上であってもよく、全ての上下風向板２５によって、吹出し口４２及び収容空間４４の全体が覆われる。上下風向板２５は、運転をしている際に、モーター（図示せず）によって上下方向に搖動が可能であり、開度を維持したり、変化したりすることで吹出し口４２から吹き出される空気の風向の上下を調整するものである。上下風向板２５は、筐体２３下部の略全幅にわたって配置されているため、吹出し口４２及び収容空間４４を覆う。
【００２２】
なお、本実施の形態１と異なり、収容空間４４が吹出し口４２に一体化されるように形成されない場合、上下風向板２５は、収容空間４４を覆わない。即ち、上下風向板２５は、筐体２３の幅方向の一側部に寄せられて配置され、吹出し口４２のみを覆う。これに対して、本実施の形態１の室内機２は、収容空間４４が吹出し口４２に一体化されることで、収容空間４４が吹出し口４２に一体化されない場合と比べて、意匠性が高い。
【００２３】
下風向板５２の表面は、風案内面６１及び意匠面６２の２面からなる。風案内面６１は、運転を行う際に下風向板５２の風路４３側の面となり、室内機２から吹き出される空調空気を案内する。意匠面６２は、運転を停止している際に、室内機２の筐体２３と一体をなす面であり、室内側の面である。風案内面６１には、遮風部７２が設けられている。なお、前述のように、上下風向板２５は、１枚又は３枚以上でもよい。上下風向板２５が２枚以外であった場合、遮風部７２は、上下風向板２５のうち最も低い箇所に位置する上下風向板２５に設けられる。
【００２４】
（遮風部７２）
図７は、実施の形態１に係る室内機２を示す正面図である。図８は、実施の形態１に係る遮風部７２を示す正面図である。図９は、実施の形態１に係る遮風部７２を示す斜視図である。図７、図８及び図９に示すように、遮風部７２は、板状のリブであり、風案内面６１の収容空間４４に対向する部分のうち、筐体２３における後方の縁部７１に設けられている。また、遮風部７２は、縁部７１に沿って吹出し口４２側に延びるように幅方向に広がって設けられると共に、上方に延びている。遮風部７２は、吹出し口４２から吹き出された空気を遮る。
【００２５】
図１０は、実施の形態１に係る吹出し口４２を示す断面図である。図１０を用いて、空気調和機１００が冷房運転をする際における室内機２の動作及び遮風部７２の作用について、説明する。室内空気は、室内機２の吸込み口４１から室内機２の内部に吸い込まれる。次に、室内機２の内部に吸い込まれた空気は、蒸発器として作用する室内熱交換器２１を通過して、室内送風機２２によって送られた空気と熱交換され、冷気となる。そして、熱交換された冷気は、吹出し口４２から吹き出され、室内において冷房が実施される。この際に、上下風向板２５の下風向板５２には、遮風部７２が設けられているため、吹出し口４２から吹き出された冷気の一部は、遮風部７２に衝突する。遮風部７２に衝突した冷気は、上下風向板２５の意匠面６２側に流入し、上下風向板２５の意匠面６２に滞留した室内の暖気を押し出しながら、上下風向板２５の意匠面６２に沿って流れる。一方、遮風部７２に衝突しなかった冷気は、風案内面６１に沿って室内機２から吹き出される。即ち、上下風向板２５の風案内面６１と意匠面６２とのいずれにも冷気が流れるため、上下風向板２５の風案内面６１と意匠面６２との間に温度差が発生しない。
【００２６】
（左右風向板２６）
左右風向板２６は、板状の部材であり、複数の左右風向板２６がケーシング３１の下部における上下風向板２５より風路４３の上流側に設けられる。それぞれの左右風向板２６は、モーター（図示せず）によって幅方向に揺動が可能であり、角度を維持したり、変化したりすることで、室外機１から吹き出される空気の風向の左右を調整するものである。
【００２７】
本実施の形態１によれば、空気調和機１００が冷房運転をしている際に、吹出し口４２から吹き出された冷気の一部が遮風部７２に衝突する。この際に、遮風部７２に衝突した冷気は、上下風向板２５の意匠面６２側に流入し、上下風向板２５の意匠面６２に滞留した室内の暖気を押し出しながら、上下風向板２５の意匠面６２に沿って流れる。一方、遮風部７２に衝突しなかった冷気は、風案内面６１に沿って室内機２から吹き出される。即ち、上下風向板２５の風案内面６１と意匠面６２とのいずれにも冷気が流れる。このため、上下風向板２５の風案内面６１と意匠面６２との間に温度差が発生しない。したがって、収容空間４４を吹出し口４２に一体化したことによって得られる室内機２の意匠性の高さを維持しつつ、上下風向板２５の意匠面６２に結露が生じないようにすることが出来る。
【００２８】
図１１は、比較例に係る吹出し口１４２を示す断面図である。本実施の形態１の効果について、図１１の比較例と比較することで詳細に説明する。図１１に示すように、上下風向板１２５は、上風向板１５１及び下風向板１５２の２枚からなり、正面パネル１３２の下方に位置している。比較例における下風向板１５２には、遮風部が存在しないため、吹出し口１４２から吹き出された冷気のほぼ全ては、風案内面１６１に沿って流れる。したがって、意匠面１６２に滞留している室内の暖気を排出することが出来ない。このため、意匠面１６２に滞留した暖気と風案内面１６１を流れる冷気との温度差によって、上下風向板１２５に結露が発生する虞がある。
【００２９】
これに対して、本実施の形態１の上下風向板２５には、遮風部７２が設けられている。これにより、空気調和機１００が冷房運転をしている際に、吹出し口４２から吹き出された冷気の一部が遮風部７２に衝突する。この際に、遮風部７２に衝突した冷気は、上下風向板２５の意匠面６２側に流入し、上下風向板２５の意匠面６２に滞留した室内の暖気を押し出しながら、上下風向板２５の意匠面６２に沿って流れる。一方、遮風部７２に衝突しなかった冷気は、風案内面６１に沿って室内機２から吹き出される。即ち、上下風向板２５の風案内面６１と意匠面６２とのいずれにも冷気が流れる。このため、上下風向板２５の風案内面６１と意匠面６２との間に温度差が発生しない。したがって、収容空間４４を吹出し口４２に一体化したことによって得られる室内機２の意匠性の高さを維持しつつ、上下風向板２５に結露が発生することが抑制出来る。
【００３０】
なお、遮風部７２は、風案内面６１の収容空間４４に対向する部分のうち、筐体２３における後方の縁部７１に設けられていればよい。ここで、遮風部７２が上下風向板２５の前後方向の中央に設けられていた場合、遮風部７２に衝突した冷気は、風案内面６１の後方の空間で乱流を発生させる可能性がある。このため、吹出し口４２から吹き出された冷気がスムーズに意匠面６２側に流れない。これに対して、本実施の形態１の遮風部７２は、筐体２３における後方の縁部７１に設けられているため、遮風部７２に衝突した冷気がスムーズに意匠面６２側に導かれる。一方、遮風部７２に衝突しなかった冷気は、風案内面６１に沿って室内機２から吹き出される。即ち、上下風向板２５の風案内面６１と意匠面６２とのいずれにも冷気が流れる。このため、上下風向板２５の風案内面６１と意匠面６２との間に温度差が発生しない。したがって、収容空間４４を吹出し口４２に一体化したことによって得られる室内機２の意匠性の高さを維持しつつ、上下風向板２５に結露が発生することを抑制出来る。
【００３１】
本実施の形態１によると、更に、遮風部７２は、風案内面６１の収容空間４４に対向する部分のうち、筐体２３における後方の縁部７１に設けられ、縁部７１に沿うように幅方向に広がると共に、上方に延びている。これにより、空気調和機１００が冷房運転をしている際に、吹出し口４２から吹き出された冷気の一部は、遮風部７２に確実に衝突する。この際に、遮風部７２に衝突した冷気は、上下風向板２５の意匠面６２側に流入し、上下風向板２５の意匠面６２に滞留した室内の暖気を押し出しながら、上下風向板２５の意匠面６２に沿って吹き出される。一方、遮風部７２に衝突しなかった冷気は、風案内面６１に沿って室内機２から吹き出される。即ち、上下風向板２５の風案内面６１と意匠面６２とのいずれにも冷気が流れる。このため、上下風向板２５の風案内面６１と意匠面６２との間に温度差が発生しない。したがって、収容空間４４を吹出し口４２に一体化したことによって得られる室内機２の意匠性の高さを維持しつつ、上下風向板２５に結露が発生することをより抑制出来る。
【００３２】
本実施の形態１によると、更に、遮風部７２は、吹出し口４２側に延びるように設けられている。これにより、吹出し口４２から吹き出される冷気のうち、遮風部７２に衝突する冷気が増加する。このため、意匠面６２に滞留した空気をより効率的に押し出すことが出来る。したがって、上下風向板２５に結露が発生することをより抑制出来る。
【００３３】
図１２は、実施の形態１に係る遮風部７２を示す斜視図である。図１３は、実施の形態１に係る遮風部７２を示す断面図である。図１２及び図１３に示すように、遮風部７２の背面は、更に、筐体２３における後方且つ上方に延びるように形成されていてもよい。概して、遮風部７２の背面が上方にのみ延びるように形成されている場合、遮風部７２は、吹出し口４２から吹き出される冷気の流れる方向に対して略直交するような形状となる。このため、吹出し口４２から吹き出された冷気が遮風部７２に衝突する際に、風圧が低下したり、遮風部７２の付近で乱流が発生したりする。その結果、風案内面６１に沿って流れる冷気の量が少なくなり、空気調和の効率を低下させる虞がある。
【００３４】
これに対して、遮風部７２の背面が、筐体２３における後方且つ上方に延びるように形成されている場合、遮風部７２の背面は、吹出し口４２から吹き出される冷気の流れる方向に対して略平行な形状となる。このため、吹出し口４２から吹き出される冷気の一部が遮風部７２に衝突する際に、風圧が低下したり、遮風部７２の付近で乱流が発生したりすることを抑制出来る。したがって、風案内面６１に沿って流れる冷気の量が過度に少なくならず、空気調和の効率を低下させずに、上下風向板２５に結露が発生することを抑制出来る。
【００３５】
図１４は、実施の形態１に係る遮風部７２を示す斜視図である。図１４に示すように、遮風部７２の高さは、吹出し口４２に向かい高くなるように形成されていてもよい。概して、遮風部７２は、背面の面積が大きくなることにより、遮風部７２に衝突する冷気の量を増加させることが出来る。この際に、遮風部７２に衝突する冷気の量を増加させる効果は、遮風部７２の高くなる部分が吹出し口４２に近い部分であるにしたがって、大きい。逆に、遮風部７２に衝突する冷気の量を増加させる効果は、遮風部７２の高くなる部分が吹出し口４２から遠い部分であるにしたがって、小さい。このため、遮風部７２の高さは、吹出し口４２に向かい高くなるように形成されることで、上下風向板２５に使用する材料の量を抑えつつ、上下風向板２５に結露が発生することを抑制出来る。
【００３６】
図１５は、実施の形態１に係る遮風部７２を示す断面図である。図１５に示すように、遮風部７２の前面には、熱移動を抑制する断熱材８１が貼り付けられていてもよい。断熱材８１は、例えば、断熱インシュレータ（ＩＮＳ）である。概して、空気調和機１００が冷房運転をしている際には、遮風部７２の前面には、室内の暖気が流入しうる。このとき、遮風部７２の背面に吹出し口４２から吹き付けられる冷気と遮風部７２の前面に流入した暖気との温度差により、遮風部７２に結露が生じる虞がある。遮風部７２の前面に断熱材８１が貼り付けられた場合には、暖気が冷却されることを妨げ、遮風部７２に結露が発生することを抑制することが出来る。なお、断熱材８１は、遮風部７２の前面に貼り付けられるため、空気調和機１００が運転を停止している際には、筐体２３の内部に隠れる。即ち、遮風部７２の前面に断熱材８１が貼り付けられていても、意匠性は低下しない。
【００３７】
図１６は、実施の形態１に係る遮風部７２を示す断面図である。図１６に示すように、遮風部７２の前面には、水分を吸収する吸水材８２が貼り付けられていてもよい。吸水材８２は、例えば、吸水インシュレータ（ＩＮＳ）である。前述のとおり、遮風部７２の背面に吹出し口４２から吹き付けられる冷気と遮風部７２の前面に流入した暖気との温度差により、遮風部７２に結露が生じる虞がある。遮風部７２の前面に吸水材８２が貼り付けられた場合には、遮風部７２付近の暖気に含まれる水分を吸収し、遮風部７２に結露が発生することを抑制することが出来る。なお、吸水材８２は、断熱材と同様に、遮風部７２の前面に貼り付けられるため、空気調和機１００が運転を停止している際には、筐体２３の内部に隠れる。即ち、遮風部７２の前面に吸水材８２が貼り付けられていても、意匠性は低下しない。
【符号の説明】
【００３８】
１  室外機、２  室内機、３  冷媒配管、４  冷媒回路、１１  圧縮機、１２  流路切替装置、１３  室外熱交換器、１４  室外送風機、１５  膨張部、２１  室内熱交換器、２２  室内送風機、２３  筐体、２４  電装品箱、２５  上下風向板、２６  左右風向板、３１  ケーシング、３２  正面パネル、４１  吸込み口、４２  吹出し口、４３  風路、４４  収容空間、５１  上風向板、５２  下風向板、６１  風案内面、６２  意匠面、７１  縁部、７２  遮風部、８１  断熱材、８２  吸水材、１００  空気調和機、１２５  上下風向板、１４２  吹出し口、１６１  風案内面、１６２  意匠面。
【図１】
2020240759.tif 000003
【図２】
2020240759.tif 000004
【図３】
2020240759.tif 000005
【図４】
2020240759.tif 000006
【図５】
2020240759.tif 000007
【図６】
2020240759.tif 000008
【図７】
2020240759.tif 000009
【図８】
2020240759.tif 000010
【図９】
2020240759.tif 000011
【図１０】
2020240759.tif 000012
【図１１】
2020240759.tif 000013
【図１２】
2020240759.tif 000014
【図１３】
2020240759.tif 000015
【図１４】
2020240759.tif 000016
【図１５】
2020240759.tif 000017
【図１６】
2020240759.tif 000018
【国際調査報告】
2020240759.tif 000019
2020240759.tif 000020